(57)【要約】【課題】  従来のウエル形成用鋼管矢板の設置方法においては鋼管矢板を精度良く短時間に設置することは困難であった。【解決手段】  本発明のウエル形成用鋼管矢板の設置方法においては、施工場所以外で複数の鋼管矢板を閉合して鋼管矢板集合体を作り、この鋼管矢板集合体を浮体とし水上を施工場所に移動し、上記鋼管矢板集合体を所定区域の水底地盤上に沈設し、必要に応じて沈設された鋼管矢板集合体の鉛直精度を調節し、上記鋼管矢板集合体の鋼管矢板を一本づつ上記地盤内に打ち込む。【選択図】  図１２
2005146671.tif 000002
【特許請求の範囲】
【請求項１】
施工場所以外で複数の鋼管矢板を閉合して鋼管矢板集合体を作る工程と、
この鋼管矢板集合体を水上の施工場所に移動する工程と、
上記鋼管矢板集合体を所定区域の水底地盤上に沈設する工程と、
上記鋼管矢板集合体の鋼管矢板を一本づつ上記地盤内に打ち込む工程と
より成ることを特徴とするウエル形成用鋼管矢板の設置方法。
【請求項２】
施工場所以外で複数の鋼管矢板を閉合して鋼管矢板集合体を作る工程と、
この鋼管矢板集合体を水上の施工場所に移動する工程と、
上記鋼管矢板集合体を所定区域の水底地盤上に沈設する工程と、
上記鋼管矢板集合体の鋼管矢板を一本づつ上記地盤内に打ち込む工程と、
上記打ち込まれた鋼管矢板の上端に２段目以降の鋼管矢板を継ぎ足して上記地盤内に打ち込む工程と
より成ることを特徴とするウエル形成用鋼管矢板の設置方法。
【請求項３】
上記鋼管矢板の所定のものに送気して浮力を与えることによって上記鋼管矢板集合体の鉛直精度を調節する工程を更に有することを特徴とする請求項１または２記載のウエル形成用鋼管矢板の設置方法。
【請求項４】
上記鋼管矢板集合体を移動する上記工程が、上記鋼管矢板集合体を浮体として移動することを含む請求項１、２または３記載のウエル形成用鋼管矢板の設置方法。
【請求項５】
所望の空間を囲むよう互いに閉合せしめた複数の鋼管矢板群と、この鋼管矢板群の内側に組み込まれた導材とより成ることを特徴とするウエル形成用鋼管矢板集合体。
【請求項６】
上記鋼管矢板群中の鋼管矢板の少なくとも１つが浮力形成用パイプであることを特徴とする請求項５記載のウエル形成用鋼管矢板集合体。
【発明の詳細な説明】
【技術分野】
【０００１】
本発明はウエル形成用鋼管矢板集合体及びその設置方法、特に、橋脚や橋台の基礎として地盤支持層に打ち込まれるウエル形成用鋼管矢板集合体及びその設置方法に関するものである。
【背景技術】
【０００２】
従来のウエル形成用鋼管矢板集合体は、図１３〜図１５に示すように設置場所の水面上において導枠１及び導杭２を設置し、これらをガイドとして互いに閉合するよう直径例えば１ｍ、長さ例えば３０ｍの複数の鋼管矢板３を一本づつ地盤支持層４内に打込み、図１６に示すように閉合した鋼管矢板３によって囲まれた地盤部分の上部を掘削して形成した仮締切り５内に底盤コンクリート６を打設し、図１７に示すように切梁及び腹起し等の支保工７を行なった後図１８に示すように仮締切り５内をドライアップし、頂版コンクリート８−１及び躯体コンクリート８−２を打設し、仮締切り部９を撤去するようにしている。
【０００３】
このような従来の方法は非特許文献１に記載されている。
【非特許文献１】平成１４年１２月鋼管杭協会発行「鋼管矢板基礎」（図２）。
【発明の開示】
【発明が解決しようとする課題】
【０００４】
然しながら、上記従来の方法では、設置現場の水上での作業であり、また、鋼管矢板を一本づつ位置決めする作業が極めて困難であり、鋼管矢板によるウエルを精度良く設置することは極めて困難であり、また、時間を要する欠点があった。
【０００５】
本発明は上記のような欠点を除くようにしたものである。
【課題を解決するための手段】
【０００６】
本発明のウエル形成用鋼管矢板の設置方法は、施工場所以外で複数の鋼管矢板を閉合して鋼管矢板集合体を作る工程と、この鋼管矢板集合体を水上の施工場所に移動する工程と、上記鋼管矢板集合体を所定区域の水底地盤上に沈設する工程と、上記鋼管矢板集合体の鋼管矢板を一本づつ上記地盤内に打ち込む工程とより成ることを特徴とする。
【０００７】
また、本発明のウエル形成用鋼管矢板の設置方法は、施工場所以外で複数の鋼管矢板を閉合して鋼管矢板集合体を作る工程と、この鋼管矢板集合体を水上の施工場所に移動する工程と、上記鋼管矢板集合体を所定区域の水底地盤上に沈設する工程と、上記鋼管矢板集合体の鋼管矢板を一本づつ上記地盤内に打ち込む工程と、上記打ち込まれた鋼管矢板の上端に２段目以降の鋼管矢板を継ぎ足して上記地盤内に打ち込む工程とより成ることを特徴とする。
【０００８】
上記鋼管矢板の所定のものに送気して浮力を与えることによって上記鋼管矢板集合体の鉛直精度を調節する工程を更に有することを特徴とする。
【０００９】
上記鋼管矢板集合体を移動する上記工程は、上記鋼管矢板集合体を浮体として移動することを特徴とする。
【００１０】
本発明のウエル形成用鋼管矢板集合体は、所望の空間を囲むよう互いに閉合せしめた複数の鋼管矢板群と、この鋼管矢板群の内側に組み込まれた導材とより成ることを特徴とする。
【００１１】
上記鋼管矢板群中の鋼管矢板の少なくとも１つは、浮力形成用パイプであることを特徴とする。
【発明の効果】
【００１２】
本発明によれば、ウエル形成用鋼管矢板集合体を浮きドックや陸上で予め作るので現地施工に必要な時間を大幅に短縮でき、また、予め導材を内部にセットし得るのでその施工精度も確実に向上できるようになる。また、通常、導材は水上に１段しか設けられないが、本発明の場合は浮きドック上や陸上での作業のため２段以上の導材を確保でき、下段の導材を水中の深い位置に配置できることから、鋼管矢板の鉛直精度を向上させることができる。
【発明を実施するための最良の形態】
【００１３】
以下図面によって本発明の実施例を説明する。
【実施例１】
【００１４】
本発明においては、浮きドック上や、水上以外の例えば陸上で図１〜図５に示すような工程で例えば高さ１０ｍのウエル形成用鋼管矢板集合体１０を製造する。
【００１５】
図１〜図５において、１１は所定の空間を取り囲むよう互いに閉合せしめた複数の鋼管矢板群、１２はこの鋼管矢板群１１の内側に予め組み込まれた導材、１３は鋼管矢板群１１の長さより長い中間杭を兼ねた大組枠支持杭である。なお、この大組枠支持杭１３は設置地盤の性状によって鋼管矢板集合体１０を水平に設置できない場合に、ガイドとして先行打設するためのものであり、設置地盤の性状によっては必ずしも必要ではない。
【００１６】
上記ウエル形成用鋼管矢板集合体１０は予め導材１２をプレキャストで組み込むため極めて容易に且つ精度良く作成できる。
【００１７】
以下本発明の鋼管矢板集合体１０によるウエル形成方法を説明する。
【００１８】
本発明においては図６に示すように上記のように予め形成した鋼管矢板集合体１０を起重機船１４によって吊上げ浜出しを行ない、鋼管矢板上に図７に示すように止水蓋１５を被せ、鋼管矢板内部に圧気を入れるか、または、図８に示すように鋼管矢板の底面に止水蓋１６を嵌め込み、バラスト水１７を入れ鋼管矢板内部の空気を浮力として作用せしめて図９に示すように水上に浮かべ、曳船により水上を曳行して設置場所に移動せしめる。
【００１９】
設置現場では図１０に示すように、起重機船１４を用い鋼管矢板集合体１０を吊り下げバイブロハンマあるいは油圧ハンマにて大組枠支持杭１３を先行打設する。なお、この大枠支持杭１３は鋼管矢板集合体１０の重量を支持すると同時に、鋼管矢板打設中において大組枠の水平方向の変位防止を行うために設置するものである。従って、設置地盤が鋼管矢板集合体の重量を支持可能でかつ水平・平坦である場合、大組枠支持杭１３は不要であり地盤面に鋼管矢板集合体１０を沈設する。設置地盤が軟弱で鋼管矢板集合体１０の重量を支持できないか、あるいは水平・平坦でない場合、鋼管矢板集合体１０の鉛直精度を確保出来ないため大組枠支持杭１３が必要となる。
【００２０】
鋼管矢板集合体１０が地盤４上に水平に載置されていない場合には任意の鋼管矢板内に空気を送り浮力を生ぜしめて傾斜を直し、鉛直精度を向上せしめる。
【００２１】
次いで、図１１に示すように地盤４上に載置された鋼管矢板集合体１０の四隅の鋼管矢板をバイブロハンマー等により先行的に地盤４内に打ち込み、次いで残りの矢板を打込んで矢板の１段目打ち込みを完了する。
【００２２】
次いで図１２に示すように四隅の矢板の上端に例えば長さ１０ｍの２段目矢板を治具（図示せず）を用いて接続し、これを打ち込む。
【００２３】
次いで四隅以外の矢板に２段目の他の矢板を継ぎ足し、これを打ち込み、以下必要に応じて３段目以降の矢板の継ぎ足し及び打ち込みを行ない、以下従来と同様図１６に示す底盤コンクリート６を打設し、鋼管矢板によって囲まれた地盤部分の上部を掘削してウエル５を形成する。
【００２４】
上記のように本発明によれば、鋼管矢板集合体を浮きドック上や、陸上で予め作るので現地施工に必要な時間を大幅に短縮でき、また、予め導材１２を内部にセットし得るのでその施工精度も確実に向上できるようになる。
【図面の簡単な説明】
【００２５】
【図１】本発明のウエル形成用鋼管矢板の形成方法の説明図である。
【図２】本発明のウエル形成用鋼管矢板の形成方法の説明図である。
【図３】本発明のウエル形成用鋼管矢板の形成方法の説明図である。
【図４】本発明のウエル形成用鋼管矢板の平面図である。
【図５】図４のＡ−Ａ線断面図である。
【図６】図４に示す矢板の移送状態説明図である。
【図７】図４に示す矢板の浮力形成状態の説明図である。
【図８】図４に示す矢板の浮力形成状態の説明図である。
【図９】図４に示す矢板の移送方法説明図である。
【図１０】地盤内に一部打込まれた図９に示す矢板の説明図である。
【図１１】図１０に示す矢板の２段目打ち込みの説明図である。
【図１２】図１０に示す矢板の２段目打ち込みの説明図である。
【図１３】従来のウエル形成用鋼管矢板の設置方法説明図である。
【図１４】従来のウエル形成用鋼管矢板の設置方法説明図である。
【図１５】従来のウエル形成用鋼管矢板の設置方法説明図である。
【図１６】従来のウエル形成用鋼管矢板の設置方法説明図である。
【図１７】従来のウエル形成用鋼管矢板の設置方法説明図である。
【図１８】従来のウエル形成用鋼管矢板の設置方法説明図である。
【符号の説明】
【００２６】
１      導枠
２      導杭
３      鋼管矢板
４      地盤支持層
５      ウエル
６      底盤コンクリート
７      支保工
８−１  頂版コンクリート
８−２  躯体コンクリート
９      仮締切り部
１０    鋼管矢板集合体
１１    鋼管矢板群
１２    導材
１３    大組枠支持杭
１４    起重機船
１５    止水蓋
１６    止水蓋
１７    バラスト水
【図１】
2005146671.tif 000003
【図２】
2005146671.tif 000004
【図３】
2005146671.tif 000005
【図４】
2005146671.tif 000006
【図５】
2005146671.tif 000007
【図６】
2005146671.tif 000008
【図７】
2005146671.tif 000009
【図８】
2005146671.tif 000010
【図９】
2005146671.tif 000011
【図１０】
2005146671.tif 000012
【図１１】
2005146671.tif 000013
【図１２】
2005146671.tif 000014
【図１３】
2005146671.tif 000015
【図１４】
2005146671.tif 000016
【図１５】
2005146671.tif 000017
【図１６】
2005146671.tif 000018
【図１７】
2005146671.tif 000019
【図１８】
2005146671.tif 000020